(57)【要約】      （修正有）【課題】簡単な構成で、射出スリーブとプランジャチップの摺動面に潤滑剤を確実に全周にわたって行き渡らせることができるプランジャ潤滑装置およびプランジャの潤滑方法を提供する。【解決手段】溶湯が給湯口１ａから注湯される射出スリーブ１と、この射出スリーブ１内に摺動可能に嵌挿されて成形型のキャビティ内へ溶湯を射出するプランジャチップ２との摺動面１０、２０を潤滑する装置であって、射出スリーブ１とプランジャチップ２の摺動面１０、２０の間の後端に臨むように配設された潤滑剤を保持する潤滑剤保持部材４と、射出スリーブ１内を密閉して減圧して潤滑剤保持部材４に保持されている潤滑剤を射出スリーブ１とプランジャチップ２の摺動面１０、２０に引き込む減圧手段５と、を備えている。減圧手段５には、射出スリーブ１の内部を密閉するためにその給湯口１ａを塞ぐ蓋部材５０が含まれる。【選択図】図２
2007229751.tif 000002
【特許請求の範囲】
【請求項１】
溶湯が給湯口から注湯される射出スリーブと、該射出スリーブ内に摺動可能に嵌挿されて成形型のキャビティ内へ溶湯を射出するプランジャチップとの摺動面を潤滑するプランジャ潤滑装置であって、
射出スリーブとプランジャチップの摺動面の後端に臨むように配設された潤滑剤を保持する潤滑剤保持部材と、
射出スリーブ内を密閉して減圧して前記潤滑剤保持部材に保持されている潤滑剤を射出スリーブとプランジャチップの摺動面に引き込む減圧手段と、
を備えたことを特徴とするプランジャ潤滑装置。
【請求項２】
溶湯が給湯口から注湯される射出スリーブと、該射出スリーブ内に摺動可能に嵌挿されて成形型のキャビティ内へ溶湯を射出するプランジャチップとの摺動面を潤滑するプランジャの潤滑方法であって、
潤滑剤が含浸された潤滑剤保持部材を射出スリーブとプランジャチップの摺動面の後端に臨むように配設し、
射出スリーブを密閉してその内部を減圧して、前記潤滑剤保持部材に含浸された潤滑剤を射出スリーブとプランジャチップの摺動面に引き込むことを特徴とするプランジャの潤滑方法。
【発明の詳細な説明】
【技術分野】
【０００１】
本発明は、プランジャ潤滑装置およびプランジャ潤滑方法に関し、さらに詳しくは、溶湯が給湯口から注湯される射出スリーブと、該射出スリーブ内に摺動可能に嵌挿されて成形型のキャビティ内へ溶湯を射出するプランジャチップとの摺動面を潤滑するプランジャ潤滑装置およびプランジャの潤滑方法に関するものである。
【背景技術】
【０００２】
ダイカストマシンのプランジャにおいては、射出スリーブ内にプランジャチップが摺動可能に嵌挿されており、プランジャチップを後退させた状態で、射出スリーブの給湯口から溶湯を注湯し、プランジャチップを前進駆動して射出スリーブ内の溶湯を成形型のキャビティ内に射出充填している。射出スリーブ内の溶湯を適切に射出し、且つ、射出スリーブに対してプランジャチップを摺動させるためには、射出スリーブとプランジャチップとの摺動面を適切に潤滑する必要がある。
【０００３】
射出スリーブとプランジャチップとの摺動面を潤滑するための従来の技術としては、特許文献１が知られている。特許文献１には、溶湯が注湯口より注入される射出スリーブと、この射出スリーブ内の溶湯を金型のキャビティに圧入するプランジャチップと、前記注湯口を介して射出スリーブの内面に潤滑剤を噴射する潤滑剤噴射装置とを備えたダイカストマシンの射出スリーブ潤滑装置であって、前記注湯口よりも後方の射出スリーブ内と外部とを連通する吸引通路を射出スリーブに穿設し、該吸引通路を経由して射出スリーブ内を減圧する吸引装置を備えたことなどを特徴とするダイカストマシンの射出スリーブ潤滑装置が開示されている。
【０００４】
また、特許文献１には、溶湯が注湯口より注入される射出スリーブと、この射出スリーブ内の溶湯を金型のキャビティに圧入するプランジャチップと、前記注湯口を介して射出スリーブの内面に潤滑剤を噴射する潤滑剤噴射装置とを備えたダイカストマシンの射出スリーブ潤滑方法であって、前記プランジャチップを前記射出スリーブの注湯口よりも後方の射出スリーブ内に配置する配置工程と、前記配置工程が完了した後に、前記潤滑剤噴射装置により、射出スリーブの注湯口を介して射出スリーブの内面に潤滑剤を噴射する潤滑剤噴射工程と、前記潤滑剤噴射工程を行うと同時に、または、前記潤滑剤噴射工程中に、あるいは、前記配置工程が完了した後に、吸引装置により、注湯口よりも後方の射出スリーブ内と外部とを連通するように射出スリーブに穿設された吸引通路を経由して、射出スリーブの内周面とプランジャチップの外周面との間のクリアランスから射出スリーブ内を減圧する吸引工程と、前記潤滑剤噴射工程を終了する工程と、前記吸引工程を終了する工程とを備えることなどを特徴とするダイカストマシンの射出スリーブ潤滑方法が開示されている。
【０００５】
【特許文献１】特開２００４−２９１０５８号公報
【発明の開示】
【発明が解決しようとする課題】
【０００６】
しかしながら、上記特許文献１のような従来の技術にあっては、潤滑剤が射出スリーブとプランジャチップとの間の全周にわたって拡がって閉塞していないと、射出スリーブの内部と吸引通路との間に差圧が生じないため、射出スリーブ内に噴射された潤滑剤が吸引装置による減圧作用によって射出スリーブの内周面とプランジャチップの外周面との間の部分に向かって引き寄せられず、射出スリーブの内周面とプランジャチップの外周面との摺動部分に潤滑剤が充分に塗布されないこととなるという問題があった。そして、その結果プランジャチップの前進速度にバラツキが生じ安定して溶湯を射出することができず、また、射出スリーブとプランジャチップの摺動面にカジリが生じ易くなるなどの問題があった。さらに、射出スリーブ内に潤滑剤をスプレー塗布すると、射出スリーブに給湯された溶湯に潤滑剤が混入するため、ダイカスト製品の品質を向上させることが困難となるなどの問題もあった。
【０００７】
本発明は、上述した問題に鑑みてなされたもので、簡単な構成で、射出スリーブとプランジャチップの摺動面に潤滑剤を確実に全周にわたって行き渡らせることができるプランジャ潤滑装置およびプランジャの潤滑方法を提供することを目的とする。
【課題を解決するための手段】
【０００８】
請求項１のプランジャ潤滑装置に係る発明は、上記目的を達成するため、溶湯が給湯口から注湯される射出スリーブと、該射出スリーブ内に摺動可能に嵌挿されて成形型のキャビティ内へ溶湯を射出するプランジャチップとの摺動面を潤滑するプランジャ潤滑装置であって、射出スリーブとプランジャチップの摺動面の後端に臨むように配設された潤滑剤を保持する潤滑剤保持部材と、射出スリーブ内を密閉して減圧して前記潤滑剤保持部材に保持されている潤滑剤を射出スリーブとプランジャチップの摺動面に引き込む減圧手段と、を備えたことを特徴とするものである。
請求項２のプランジャの潤滑方法は、上記目的を達成するため、溶湯が給湯口から注湯される射出スリーブと、該射出スリーブ内に摺動可能に嵌挿されて成形型のキャビティ内へ溶湯を射出するプランジャチップとの摺動面を潤滑するプランジャの潤滑方法であって、潤滑剤が含浸された潤滑剤保持部材を射出スリーブとプランジャチップの摺動面の後端に臨むように配設し、射出スリーブを密閉してその内部を減圧して、前記潤滑剤保持部材に含浸された潤滑剤を射出スリーブとプランジャチップの摺動面に引き込むことを特徴とするものである。
【０００９】
請求項１の発明では、射出スリーブ内でプランジャチップを後退限に位置させた状態のときに、射出スリーブとプランジャチップの摺動面の後端に臨むように潤滑剤保持部材を配設して、この潤滑剤保持部材に潤滑剤を保持させる。そして、給湯口を蓋部材により閉塞して射出スリーブ内を密閉し、減圧手段により射出スリーブ内を減圧すると、潤滑剤保持部材に保持されている潤滑剤が射出スリーブとプランジャチップの摺動面に確実に引き込まれ全体に均一に行き渡って潤滑される。
請求項２の発明では、射出スリーブ内でプランジャチップを後退限に位置させた状態のときに、潤滑剤が含浸された潤滑剤保持部材を射出スリーブとプランジャチップの摺動面の後端に臨むように配設する。そして、給湯口を蓋部材により閉塞して射出スリーブ内を密閉しその内部を減圧することにより、潤滑剤保持部材に含浸された潤滑剤を射出スリーブとプランジャチップの摺動面に確実に引き込み全体に均一に行き渡らせて潤滑する。
【発明の効果】
【００１０】
請求項１の発明によれば、射出スリーブとプランジャチップの摺動面の後端に臨むように配設された潤滑剤を保持する潤滑剤保持部材と、射出スリーブ内を密閉して減圧して前記潤滑剤保持部材に保持されている潤滑剤を射出スリーブとプランジャチップの摺動面に引き込む減圧手段と、を備えた、という簡単な構成で、射出スリーブとプランジャチップの摺動面に潤滑剤を確実に全周にわたって行き渡らせることが可能なプランジャ潤滑装置を提供することができる。
請求項２の発明によれば、潤滑剤が含浸された潤滑剤保持部材を射出スリーブとプランジャチップの摺動面の後端に臨むように配設し、射出スリーブを密閉してその内部を減圧して、前記潤滑剤保持部材に含浸された潤滑剤を射出スリーブとプランジャチップの摺動面に引き込む、という簡単な構成で、射出スリーブとプランジャチップの摺動面に潤滑剤を確実に全周にわたって行き渡らせることが可能なプランジャの潤滑方法を提供することができる。
【発明を実施するための最良の形態】
【００１１】
最初に、本発明のプランジャ潤滑装置の実施の一形態を、図１および図２に基づいて詳細に説明する。図において、同一符号は同様の部分または相当する部分に付すものとする。
本発明のプランジャ潤滑装置は、概略、溶湯が給湯口１ａから注湯される射出スリーブ１と、この射出スリーブ１内に摺動可能に嵌挿されて成形型３のキャビティ３ａ内へ溶湯を射出するプランジャチップ２との摺動面１０、２０を潤滑するものであって、射出スリーブ１とプランジャチップ２の摺動面１０、２０の間の後端に臨むように配設された潤滑剤を保持する潤滑剤保持部材４と、射出スリーブ１内を密閉して減圧して潤滑剤保持部材４に保持されている潤滑剤を射出スリーブ１とプランジャチップ２の摺動面１０、２０に引き込む減圧手段５と、を備えている。そして、減圧手段５には、射出スリーブ１の内部を密閉するためにその給湯口１ａを塞ぐ蓋部材５０が含まれる。
【００１２】
図１に示すように、ダイカスト装置は、成形型３と、この成形型３を開閉移動させる型締め装置とを備えてなり、成形型３は、固定プラテン３０に取り付けられた固定型３１と、タイバー３４に挿通され固定プラテン３０と相対向して近接・遠退可能に設けられた可動プラテン３２に取り付けられた可動型３３と、を備えてなる。ダイカスト装置は、例えば１６５０ton程度の型締め力を有するものが用いられる。固定型３１に対して可動型３３を型閉じすることにより、両者３１、３３の衝合面には所定形状のキャビティ３ａが形成される。
【００１３】
射出スリーブ１の先端（図１の右側端）は、固定プラテン３０と固定型３１を貫通してキャビティ３ａと連通する湯道に達している。射出スリーブ１の後方の上面には、保持炉から汲まれた溶湯をラドルによって注湯する注湯口１ａが設けられている。射出スリーブ１の後方（図１の左方）には油圧などによって作動される射出シリンダ６が射出スリーブ１と同軸線上に配設されており、射出シリンダ６の作動ロッド６ａの先端には、射出スリーブ１に嵌挿されたプランジャチップ２と接続されている。射出スリーブ１の内周面とプランジャチップ２の外周面との間には、所定のクリアランスが形成されている。図２に示した実施の形態では、射出シリンダ６によるプランジャチップ２の後退限は、射出スリーブ１の後端から僅かにプランジャチップ２が出るように設定されている。
【００１４】
射出スリーブ１の注湯口１ａには、図２に示すように、蓋部材５０が開閉可能に設けられている。蓋部材５０によって注湯口１ａを塞がれると、射出スリーブ１の内部が密閉されることとなる。また、射出スリーブ１の後端には、潤滑剤保持部材４が設けられている。潤滑剤保持部材４は、例えばスポンジや布など潤滑剤を染込ませることができる材質からなるもので、環状に成形されており、その内径は、後退限位置で射出スリーブ１の後端から僅かに出ているプランジャチップ２が挿通され得る大きさに設定されている。潤滑剤保持部材４に対しては、例えば図２に矢印で示すように潤滑剤を連続してまたは断続的に滴下させるための潤滑剤滴下装置を設けることができ、また、潤滑剤を貯留した潤滑剤槽を直下に設けて、潤滑剤保持部材４の一部を潤滑剤に含浸させて吸い上げるように構成することもできる。さらに、潤滑剤保持部材４の外周には、潤滑剤の蒸発防止や、埃の付着防止などの目的で、カバーを設けてもよい。なお、潤滑剤としては、例えば水性黒鉛系潤滑剤を用いることができる。
【００１５】
射出スリーブ１の内部を減圧する減圧手段５は、真空ポンプ５１と、この真空ポンプと射出スリーブの内部とを接続する管路５２とを備えてなるもので、管路５２は図２に矢印で示したように給湯口を開閉する蓋部材５０を貫通してその内部に開口するよう設けられている。このような構成とすることにより、従来の射出スリーブ１に加工を加えることなく、蓋部材５０を含む減圧手段５を設けることができる。しかしながら、本発明の減圧手段は、真空ポンプ５１の管路５２を射出スリーブ１に直接接続してもよく、また、ダイカスト機の成形型３に接続してもよい。すなわち、本発明の減圧手段５は、蓋部材１０によって給湯口１ａが塞がれて密閉された状態の射出スリーブ１の内部を減圧することができるものであればよい。真空ポンプ５１は、射出シリンダ１内を例えば３００Torr程度に減圧できるものが用いられる。
【００１６】
次に、本発明のプランジャの潤滑方法を、上述したように構成された装置を用いる場合によってその作動とともに詳細に説明する。
本発明のプランジャの潤滑方法は、概略、溶湯が給湯口１ａから注湯される射出スリーブ１と、この射出スリーブ１内に摺動可能に嵌挿されて成形型３のキャビティ３ａ内へ溶湯を射出するプランジャチップ２との摺動面１０、２０を潤滑するもので、潤滑剤が含浸された潤滑剤保持部材４を射出スリーブ１とプランジャチップ２の摺動面１０、２０の間の後端に臨むように配設し、射出スリーブ１を密閉してその内部を減圧して、潤滑剤保持部材４に保持された潤滑剤を射出スリーブ１とプランジャチップ２の摺動面１０、２０に引き込むものである。
【００１７】
プランジャチップ２は、射出スリーブ１内に給湯された溶湯の射出が完了すると、射出シリンダ６の駆動によって射出スリーブ１の後端から僅かに出るよう後退されて、潤滑剤保持部材４の内部に入り込む。射出スリーブ１の内周面とプランジャチップ２の外周面との間（摺動面１０、２０）の後端には、その全周にわたって、潤滑剤を保持している潤滑材保持部材４が位置していることとなる。この状態で、射出スリーブ１の給湯口１ａを蓋部材５０によって塞ぐとともに、固定型３１に対して可動型３３を型閉じして、射出スリーブ１を密閉し、真空ポンプ５１の駆動により射出スリーブ１内を減圧すると、潤滑剤保持部材４に保持されている潤滑剤は、射出スリーブ１の内周面（摺動面１０）とプランジャチップ２の外周面（摺動面２０）との間で前方に向かって確実に引き込まれ、摺動面１０、２０全体に均等に拡がる。そして、射出スリーブ１内を大気圧に解放して蓋部材５０を開き、注湯口１ａから射出スリーブ１内に溶湯を注湯して射出シリンダ６の駆動によりプランジャチップ２を前進させると、摺動面１０、２０へ全周にわたって均等に引き込まれた潤滑剤により、射出スリーブ１の内周面に対してプランジャチップ２の外周面が安定して摺動する。
【００１８】
ここで、本発明に基づいて射出スリーブ１とプランジャチップ２の摺動面１０、２０に後方から潤滑剤を引き込んだ場合と、従来の技術のように射出スリーブ１内に潤滑剤をスプレー塗布した場合とで、射出時におけるプランジャチップ２の前進駆動速度を比較する。射出時におけるプランジャチップ２の前進駆動速度をを３．３ｍ／ｓに設定した場合、従来のスプレー塗布の場合には２．９〜３．７ｍ／ｓとバラツキがあったが、本願の潤滑剤引き込みの場合では３．２〜３．５ｍ／ｓと、プランジャチップ２の前進速度のバラツキが減少し、安定した射出を行うことができた。
【００１９】
また、本発明では、従来の技術のように射出スリーブ１内に潤滑剤をスプレー塗布することなく、射出スリーブ１とプランジャチップ２の摺動面の後方から前方に向かって潤滑剤を引き込むことから、射出スリーブ１に給湯された溶湯に潤滑剤が混入することがないので、ダイカスト製品の品質が向上し、また、潤滑剤の使用量が少なくて済む。
【図面の簡単な説明】
【００２０】
【図１】本発明のプランジャ潤滑装置が適用されるダイカスト装置の一実施の形態を示した部分断面図である。
【図２】本発明のプランジャ潤滑装置を部分的に拡大して示した断面図である。
【符号の説明】
【００２１】
１：射出スリーブ、  １ａ：注湯口、  ２：プランジャチップ、  ３：成形型、  ３ａ：キャビティ、  ４：潤滑剤保持部材、  ５：減圧手段、  １０：射出スリーブの内周面（摺動面）、  ２０：プランジャチップの外周面（摺動面）、  ５０：蓋部材
【図１】
2007229751.tif 000003
【図２】
2007229751.tif 000004